(57)【要約】【課題】花器を保持するためのホルダを自由に交換することができるフラワースタンドを提供する。【解決手段】フラワースタンドは、スタンド本体１０と複数のホルダ２０、３０とを有している。スタンド本体１０は、基部１６と、この基部１６から上方に延びる左右一対の支柱１１ｂとを有している。支柱１１ｂは上方に向かうにしたがって後方に向かうように傾斜しており、これら支柱１１ｂに左右同一高さをなして支持筒１８が固定されている。ホルダ２０，３０は左右一対の支持筒１８に対応して左右一対のフック２３，３３を有している。フック２３，３３は、支持筒１８に挿入される挿入部２３ｂ，３３ｂと、この挿入部２３ｂ，３３ｂと交差する方向に延びて支持筒１８の上端に係止される係止部２３ａ，３３ａとを有している。【選択図】　　図２
2004073552.tif 000002
【特許請求の範囲】
【請求項１】
基部とこの基部から上方に延びる支柱とを有するスタンド本体と、このスタンド本体の支柱に上下に離れて装着され花器を保持する複数のホルダとを備えたフラワースタンドにおいて、
上記スタンド本体の支柱には上下に離れた複数の支持筒が固定されており、上記ホルダはフックを有し、このフックが、上記スタンド本体の支持筒に挿入される挿入部と、この挿入部と交差する方向に延びて支持筒の上端に係止される係止部とを有することを特徴とするフラワースタンド。
【請求項２】
上記スタンド本体は左右一対の支柱を有し、これら支柱は上方に向かうにしたがって後方に向かうように傾斜しており、上記支持筒はこれら支柱に左右同一高さをなして固定されており、上記ホルダは左右一対の支持筒に対応して左右一対のフックを有していることを特徴とする請求項１に記載のフラワースタンド。
【請求項３】
上記支持筒は支柱に沿って固定され、上記ホルダは花器の外周に係止してこれら花器を保持する保持リングを有し、この保持リングが配される平面と上記フックの挿入部が鋭角をなしており、この挿入部がスタンド本体の支持筒に挿入されたホルダの装着状態において、上記保持リングがほぼ水平または前方に向かうにしたがって下方に向かうように傾斜して配置されることを特徴とする請求項２に記載のフラワースタンド。
【発明の詳細な説明】
【０００１】
【発明の属する技術分野】
本発明は花桶や花鉢等の花器を保持するフラワースタンドに関する。
【０００２】
【従来の技術】
特許２５０７２８１号公報には、花屋等に置かれるフラワースタンドが開示されている。このフラワースタンドは、基部と、この基部から上方に延びる左右一対の平行な支柱を有している。これら支柱は上方に向かうにしたがって後方に向かうように傾斜しており、これら支柱には複数例えば４つのホルダが上下に離れて取り付けられている。これらホルダは、花器を保持する保持リングと、左右一対の固定筒を有している。これら固定筒は上記支柱に位置調節可能に嵌められてねじで固定されるようになっている。
【０００３】
【特許文献１】
特許２５０７２８１号公報（図２参照）
【０００４】
【発明が解決しようとする課題】
上記構成のフラワースタンドでは、ホルダをスタンド本体の支柱から取り外すことができず、ホルダの交換を行うことができないため、異なるタイプの花器を選択して保持する自由がなかった。
【０００５】
【課題を解決するための手段】
本発明は、上記課題を解決するためになされたものであり、基部とこの基部から上方に延びる支柱とを有するスタンド本体と、このスタンド本体の支柱に上下に離れて装着され花器を保持する複数のホルダとを備えたフラワースタンドにおいて、上記スタンド本体の支柱には上下に離れた複数の支持筒が固定されており、上記ホルダはフックを有し、このフックが、上記スタンド本体の支持筒に挿入される挿入部と、この挿入部と交差する方向に延びて支持筒の上端に係止される係止部とを有することを特徴とする。
【０００６】
上記構成によれば、ホルダのフックを、スタンド本体の支柱に固定した支持筒に対して抜き差しすることにより、ホルダを取り外して、異なる花器を保持するホルダに交換することができる。ホルダのスタンドへの装着状態において、挿入部が支持筒に挿入されていること、および係止部が支持筒の上端に係止されていることにより、簡単な構造でありながら安定してホルダを支持することができる。
【０００７】
好ましくは、上記スタンド本体は左右一対の支柱を有し、これら支柱は上方に向かうにしたがって後方に向かうように傾斜しており、上記支持筒はこれら支柱に左右同一高さをなして固定されており、上記ホルダは左右一対の支持筒に対応して左右一対のフックを有している。
この構成によれば、支柱の傾斜により花器を重ならずに保持でき、また一対の支柱でホルダを安定して支持できる。
【０００８】
上記支持筒は支柱に沿って固定され、上記ホルダは花器の外周に係止してこれら花器を保持する保持リングを有し、この保持リングが配される平面と上記フックの挿入部が鋭角をなしており、この挿入部がスタンド本体の支持筒に挿入されたホルダの装着状態において、上記保持リングがほぼ水平または前方に向かうにしたがって下方に向かうように傾斜して配置される。
この構成によれば、支持筒が支柱に沿って固定されるので、支持筒が邪魔にならず、外観もよい。また、保持リングと挿入部が鋭角をなしているので、保持リングをほぼ平行または前方に傾いた状態で支持でき、花器の保持リングからの取り外し、花器からの花の取り外しを容易に行うことができる。
【０００９】
【発明の実施の形態】
以下、本発明の一実施形態をなすフラワースタンドを、図面を参照しながら説明する。図１，図２に示すように、フラワースタンドは、スタンド本体１０と複数種類例えば２種類のホルダ２０，３０とを備えている。
【００１０】
図２，図３に示すように、スタンド本体１０は、２本の断面円形のパイプ１１を有している。これらパイプ１１は鋭角に折り曲げられており、これらパイプ１１の短い部分１１ａの先端間に角パイプ１２が掛け渡され、ネジで固定されている。角パイプ１２には車輪１３が設けられている。また、パイプ１１の長い部分１１ｂの先端（上端）には他の断面円形のパイプ１４の両端の折曲部１４ａが挿入固定されている。短い部分１１ａと長い部分１１ｂの下部には補強ロッド１５が掛け渡されている。
【００１１】
上記２本のパイプ１１の短い部分１１ａと角パイプ１２と車輪１３とで、スタンド本体１０の基部１６が構成されている。パイプ１１の折り曲げ部１１ｘと車輪１３が床面ないしは地面Ａに載るようになっている。
【００１２】
上記２本のパイプ１１の長い部分１１ｂは、スタンド本体１０の左右一対の支柱を構成している。以下、この部分を支柱と称する。これら一対の支柱１１ｂは、互いに平行をなして直線状をなし、上方に向かうにしたがって後方に向かうように傾斜している。
【００１３】
各支柱１１ｂの内側の面には上下に間隔をおいて複数例えば４つの円筒形状をなす支持筒１８が溶接等の手段で固定されている。この支持筒１８は直線状をなし支柱１１ｂに沿って延びているため、邪魔にならず外観を損ねることもない。１つのホルダに対応する左右一対の支持筒１８は同じ高さに位置している。
【００１４】
図２，図４に示すように、一方のホルダ２０は、３つの棒材からなる。２つの棒材はそれぞれ円形の保持リング２１を構成している。残りの棒材は直線状のロッド部２２とその両端部を折り曲げ加工することにより得られた一対のフック２３とを有している。ロッド部２２には上記２つの保持リング２１が溶接により固定されている。フック２３は、上記ロッド部２２の端部からなる係止部２３ａと、この係止部２３ａと直交する直線状の挿入部２３ｂとを有している。図２に示すように、保持リング２１が配される平面と上記フック２３の挿入部２３ｂとは鋭角をなしている。
【００１５】
図２，図５に示すように、他のホルダ３０も３つの棒材により形成されている。１つの棒材により長方形の大きな保持リング３１が形成されている。他の２つの短い棒材はそれぞれＬ字形に折り曲げ加工されてフック３３として提供されている。このフック３３は直線状をなす係止部３３ａと挿入部３３ｂとを有している。上記フック３３の係止部３３ａ側の一端が、上記保持リング３１の長辺の両端近傍に溶接により固定されている。上記挿入部３３ｂは係止部３３ａと直角をなしているが、保持リング３１が配される平面とは鋭角をなしている。
【００１６】
上記構成のフラワースタンドにおいて、ホルダ２０，３０はスタンド本体１０に取り外し可能に装着される。ホルダ２０を例にとって、図１，図２，図６を参照しながら説明する。ホルダ２０の左右一対のフック２３の挿入部２３ｂを、同一高さにある左右一対の支持筒１８に上から挿入する。この挿入状態で、係止部２３ａが支持筒１８の上端に係止される。同様に、ホルダ３０の左右一対のフック３３の挿入部３３ｂを左右一対の支持筒１８に上から挿入し、係止部３３ａを支持筒１８の上端に係止させることにより、ホルダ３０が一対の支柱１１ｂに支持される。
【００１７】
ホルダ２０，３０は左右一対の支柱１１ｂに支持されること、およびフック２３，３３の挿入部２３ｂ、３３ｂが支持筒１８に挿入され、係止部２３ａ，３３ａが支持筒１８の上端に係止されることにより、安定して支柱１１ｂに支持される。
上記ホルダ２０，３０の支柱１１ｂへの装着状態において、保持リング２１，３１はほぼ水平をなしている。
【００１８】
上記ホルダ２０の２つの保持リング２１には小さな円筒形の花桶４０（花器）が保持される。この花桶４０は、下端に向かって径が小さくなるようなテーパを有しており、この花桶４０を保持リング２１に挿入すると、その中間部外周が保持リング２１に係止される。
【００１９】
上記ホルダ３０の保持リング３１には、平面形状が長方形の大きな花桶５０（花器）が保持される。この花桶５０は中間高さに段５１を有しており、この花桶５０を保持リング３１に挿入すると、上記段５１が保持リング３１に係止される。なお、この花桶５０には広い内部空間を縦横に細かく仕切る仕切り部材が内蔵されている。
【００２０】
上述したように上記支柱１１ｂが傾斜しており、保持リング２１，３１がほぼ水平状態をなしているので、上記花桶４０，５０は立てられた状態で上下に重ならずに効率良く保持される。なお、挿入部２３ｂ，３３ｂと保持リング２１，３１との角度を図示の例よりも鋭角にし、保持リング２１，３１を前に向かうにしたがって下方に向かうように傾斜させてもよい。この場合、花桶４０，５０は開口が前を向くようになる。花桶４０，５０が立てられるか開口を見せるように前に傾くので、花桶４０，５０の保持リング２１，３１からの着脱が容易であり、花の花桶４０，５０からの取出し，補充作業も容易である。
【００２１】
本実施形態では、ホルダ２０をスタンド本体１０の上３段に配置し、ホルダ３０を最下段に配置している。これらの配置は容易に変えることができる。また、他のホルダとも交換することができる。ホルダ２０，３０を上方へ移動させることにより、挿入部２３ｂ，３３ｂを支持筒１８から外すことができるからである。
【００２２】
本発明は上記実施形態に制約されず、種々の形態を採用可能である。ホルダとしては、花桶用のホルダだけでなく、花鉢等。他の花器を保持するホルダであってもよい。
上記支持筒は、上記支柱に対して位置調節可能に固定してもよい。例えば、上記支柱に対して固定筒が位置調節可能に嵌められねじで固定される。この固定筒に、上記支持筒を固定する。
【００２３】
【発明の効果】
以上説明したように本発明によれば、ホルダの交換を容易に行うことができ、保持する花器を自由に選択できる。
【図面の簡単な説明】
【図１】本発明の一実施形態をなすフラワースタンドの側面図であり、花桶およびホルダをスタンド本体に装着した状態を示す。
【図２】同フラワースタンドの縦断面図であり、ホルダとスタンド本体が離れている状態を示す。
【図３】同フラワースタンドのスタンド本体を分解して示す正面図である。
【図４】同フラワースタンドのホルダの一態様を示す平面図である。
【図５】同フラワースタンドのホルダの他の態様を示す平面図である。
【図６】上記ホルダのフックとスタンド本体の支持筒を拡大して示す側面図であり、（Ａ）はフックを支持筒に掛ける前の状態を示し、（Ｂ）はフックを支持筒に掛けた後の状態を示す。
【符号の説明】
１０　スタンド本体
１１ｂ　支柱
１６　基部
１８　支持筒
２０，３０　ホルダ
２１，３１　保持リング
２３，３３　フック
２３ａ，３３ａ　係止部
２３ｂ，３３ｂ　挿入部
４０，５０　花桶（花器）
【図１】
2004073552.tif 000003
【図２】
2004073552.tif 000004
【図３】
2004073552.tif 000005
【図４】
2004073552.tif 000006
【図５】
2004073552.tif 000007
【図６】
2004073552.tif 000008